(57)【特許請求の範囲】
【請求項１】
車体側の部材に固定されるホルダー支持部と、
前記ホルダー支持部に回動可能に設けられ、容器の挿入用の開口部が形成されており、
回転軸により、前記ホルダー支持部側の収納位置と、前記容器の保持が可能な使用位置とに回転可能なホルダー部と、
前記開口部の側面部に設けられた旋回軸に一端が回転可能に軸止され、前記旋回軸を中心に回転することで、前記開口部の内径を拡縮可能なアームと、
前記アームを回転方向に付勢する付勢手段とを備えているカップホルダーにおいて、
前記アームに、前記収納位置で前記ホルダー支持部と嵌合する嵌合部が設けられ、
前記嵌合部は、
前記アームと前記ホルダー支持部において、前記付勢手段の付勢方向と同一方向に、どちらか一方に突部が設けられ、
どちらか他方に前記突部を受け入れる受入部が設けられ、
前記アーム側に設けられた前記突部もしくは前記受入部の一方は、
前記付勢手段により突出する方向に設けられ、
前記突部もしくは前記受入部の前記一方は、
前記付勢手段により突出する方向に付勢されることにより、前記ホルダー支持部側に設けられた前記突部もしくは前記受入部の他方と嵌合される、
ことを特徴とするカップホルダー。
【請求項２】
前記付勢手段は、
前記アームを縮径方向に付勢するスプリングであり、
前記嵌合部は、
前記旋回軸に対して前記回転軸側に設けられていることを特徴とする請求項１に記載のカップホルダー。
【請求項３】
前記付勢手段は、
前記アームを拡径方向に付勢するスプリングであり、
前記嵌合部は、
前記旋回軸に対して前記アームの自由端側に設けられていることを特徴とする請求項１に記載のカップホルダー。
【請求項４】
容器の底部を支持可能な前記容器の支持面を備えたテーブルが、
前記ホルダー支持部に回動可能に設けられていることを特徴とする請求項１〜３のいずれか１項に記載のカップホルダー。
【請求項５】
前記ホルダー部の収納位置において、
前記ホルダー支持部又は前記ホルダー部のどちらか一方に、緩衝部材が設けられており、
どちらか他方に当接していることを特徴とする請求項１〜４のいずれか１項に記載のカップホルダー。
【発明の詳細な説明】
【技術分野】
【０００１】
この発明は、例えば車載用のカップホルダーに関し、アームの付勢力を利用して、嵌合部を嵌合させることで、嵌合部の破損を防止し、ホルダー部の収納状態における保持力の低下を防止できるばかりでなく、操作フィーリングを向上することができるようにしたものである。
【背景技術】
【０００２】
従来、ホルダー支持部にホルダーが取り付けられ、テーブルの使用時に、ホルダーを収納位置と使用位置とに回転できるようにしたカップホルダーが知られている（特許文献１の段落番号「００３８」、図１及び図２参照）。
【先行技術文献】
【特許文献】
【０００３】
【特許文献１】特開２０１５−１５７５４２号公報
【発明の概要】
【発明が解決しようとする課題】
【０００４】
しかし、上記した従来のカップホルダーには、収納位置にホルダーを保持するための機構が記載されていないため、テーブルの使用時に車の振動などにより、ホルダーが収納位置から使用位置に不用意に回転するおそれがあるという問題点がある。
例えば、ホルダーを収納位置に保持するための機構としては、摩擦抵抗や凹凸が利用した機構を考えられる。摩擦抵抗を利用した機構では、異音発生等の要因となるおそれが考えられる。また、凹凸を利用した機構では、両者が無理にはまり込むため、操作フィーリングが悪く、又、繰り返し使用により、凹凸が摩耗したり、削れたりし、保持力が低下するおそれが考えられる。
そこで、各請求項にそれぞれ記載された各発明は、上記した従来の技術の有する問題点に鑑みてなされたものであり、その目的とするところは、次の点にある。
【０００５】
（請求項１）
請求項１に記載の発明は、次の点を目的とする。
すなわち、請求項１に記載の発明は、アームの付勢力を利用して、嵌合部を嵌合させることで、嵌合部の破損を防止し、ホルダー部の収納状態における保持力の低下を防止できるばかりでなく、操作フィーリングを向上することができるようにしたものである。
これに加え、請求項１に記載の発明は、アームを付勢する付勢手段を利用し、突部と受入部とを嵌合させることで、ホルダー部の収納状態における保持力を向上でき、繰り返し耐久性を向上することができるばかりでなく、操作フィーリングを向上できるようにしたものである。
【０００６】
（請求項２）
請求項２に記載の発明は、上記した請求項１に記載の発明の目的に加え、次の点を目的とする。
すなわち、請求項２に記載の発明は、アームを縮径方向に付勢するスプリングを利用して嵌合させるようにしているので、ホルダー部の収納状態における保持力を向上でき、繰り返し耐久性を向上することができるばかりでなく、操作フィーリングを向上できるようにしたものである。
【０００７】
（請求項３）
請求項３に記載の発明は、上記した請求項１に記載の発明の目的に加え、次の点を目的とする。
すなわち、請求項３に記載の発明は、アームを拡径方向に付勢するスプリングを利用して嵌合させるようにしているので、ホルダー部の収納状態における保持力を向上でき、繰り返し耐久性を向上することができるばかりでなく、操作フィーリングを向上できるようにしたものである。
【０００９】
（請求項４）
請求項４に記載の発明は、上記した請求項１〜３のいずれか１項に記載の発明の目的に加え、次の点を目的とする。
すなわち、請求項４に記載の発明は、ホルダー部が収納させているので、テーブルの使い勝手を向上することができるようにしたものである。
【００１０】
（請求項５）
請求項５に記載の発明は、上記した請求項１〜４のいずれか１項に記載の発明の目的に加え、次の点を目的とする。
すなわち、請求項５に記載の発明は、ホルダー収納時の打音を減少でき、収納時のガタ付きを減少することできるようにしたものである。
【課題を解決するための手段】
【００１１】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
【００１２】
（請求項１）
請求項１に記載の発明は、次の点を特徴とする。
第１に、カップホルダー(10)は、例えば図２に示すように、次の構成を備える。
（１）ホルダー支持部(20)
ホルダー支持部(20)は、図示しないが、車体側の部材に固定されるものである。
（２）ホルダー部(80)
ホルダー部(80)は、例えば図１及び図２に示すように、ホルダー支持部(20)に回動可能に設けられ、容器(C)の挿入用の開口部(81)が形成されており、回転軸(111)により、ホルダー支持部(20)側の収納位置（例えば図２の向かって左側）と、容器(C)の保持が可能な使用位置（例えば図２の向かって右側）とに回転可能なものである。
（３）アーム(90)
アーム(90)は、例えば図１に示すように、開口部(81)の側面部に設けられた旋回軸(122)に一端が回転可能に軸止され、旋回軸(122)を中心に回転することで、開口部(81)の内径を拡縮可能なものである。
（４）付勢手段（例えばスプリング100）
付勢手段（例えばスプリング100）は、アーム(90)を回転方向に付勢するものである。
第２に、アーム(90)に、例えば図１に示すように、収納位置でホルダー支持部(20)と嵌合する嵌合部(60)が設けられている。
第３に、嵌合部(60)は、例えば図１及び図１１に示すように、アーム(90)とホルダー支持部(20)において、付勢手段（例えばスプリング100）の付勢方向と同一方向に、どちらか一方に突部(61)が設けられ、どちらか他方に突部(61)を受け入れる受入部(62)が設けられている。
なお、突部(61)をアーム(90)に設け、受入部(62)をホルダー支持部(20)に設けたが、これに限定されず、逆に設けてもよい。
第４に、アーム(90)側に設けられた突部(61)もしくは受入部(62)の一方は、例えば図１及び図１１に示すように、付勢手段（例えばスプリング100）により突出する方向に設けられる。
第５に、突部(61)もしくは受入部(62)の一方は、例えば図１１に示すように、付勢手段（例えばスプリング100）により突出する方向に付勢されることにより、ホルダー支持部(20)側に設けられた突部(61)もしくは受入部(62)の他方と嵌合される。
【００１３】
（請求項２）
請求項２に記載の発明は、上記した請求項１に記載の発明の特徴点に加え、次の点を特徴とする。
第１に、付勢手段は、例えば図１に示すように、アーム(90)を縮径方向に付勢するスプリング(100)である。
第２に、嵌合部(60)は、例えば図１に示すように、旋回軸(122)に対して回転軸(111)側に設けられている。
【００１４】
（請求項３）
請求項３に記載の発明は、上記した請求項１に記載の発明の特徴点に加え、次の点を特徴とする。
第１に、付勢手段は、アーム(90)を拡径方向に付勢するスプリング(100)である。
第２に、嵌合部(60)は、図示しないが、旋回軸(122)に対してアーム(90)の自由端側に設けられている。
【００１６】
（請求項４）
請求項４に記載の発明は、上記した請求項１〜３のいずれか１項に記載の発明の特徴点に加え、次の点を特徴とする。
すなわち、容器(C)の底部を支持可能な容器(C)の支持面(41)を備えたテーブル(40)が、例えば図２に示すように、ホルダー支持部(20)に回動可能に設けられている。
【００１７】
（請求項５）
請求項５に記載の発明は、上記した請求項１〜４のいずれか１項に記載の発明の特徴点に加え、次の点を特徴とする。
すなわち、ホルダー部(80)の収納位置において、例えば図２に示すように、ホルダー支持部(20)又はホルダー部(80)のどちらか一方に、緩衝部材(25)が設けられており、どちらか他方に当接している。
なお、緩衝部材(25)をホルダー支持部(20)に設けたが、これに限定されず、ホルダー部(80)に設けてもよい。
【発明の効果】
【００１８】
本発明は、以上のように構成されているので、以下に記載されるような効果を奏する。
（請求項１）
請求項１に記載の発明によれば、次のような効果を奏する。
すなわち、請求項１に記載の発明によれば、アームの付勢力を利用して、嵌合部を嵌合させることで、嵌合部の破損を防止し、ホルダー部の収納状態における保持力の低下を防止できるばかりでなく、操作フィーリングを向上することができる。
これに加え、請求項１に記載の発明によれば、アームを付勢する付勢手段を利用し、突部と受入部とを嵌合させることで、ホルダー部の収納状態における保持力を向上でき、繰り返し耐久性を向上することができるばかりでなく、操作フィーリングを向上できる。
【００１９】
（請求項２）
請求項２に記載の発明によれば、上記した請求項１に記載の発明の効果に加え、次のような効果を奏する。
すなわち、請求項２に記載の発明によれば、アームを縮径方向に付勢するスプリングを利用して嵌合させるようにしているので、ホルダー部の収納状態における保持力を向上でき、繰り返し耐久性を向上することができるばかりでなく、操作フィーリングを向上できる。
【００２０】
（請求項３）
請求項３に記載の発明によれば、上記した請求項１に記載の発明の効果に加え、次のような効果を奏する。
すなわち、請求項３に記載の発明によれば、アームを拡径方向に付勢するスプリングを利用して嵌合させるようにしているので、ホルダー部の収納状態における保持力を向上でき、繰り返し耐久性を向上することができるばかりでなく、操作フィーリングを向上できる。
【００２２】
（請求項４）
請求項４に記載の発明によれば、上記した請求項１〜３のいずれか１項に記載の発明の効果に加え、次のような効果を奏する。
すなわち、請求項４に記載の発明によれば、ホルダー部が収納させているので、テーブルの使い勝手を向上することができる。
【００２３】
（請求項５）
請求項５に記載の発明によれば、上記した請求項１〜４のいずれか１項に記載の発明の効果に加え、次のような効果を奏する。
すなわち、請求項５に記載の発明によれば、ホルダー収納時の打音を減少でき、収納時のガタ付きを減少することできる。
【図面の簡単な説明】
【００２４】
【図１】ホルダー本体の分解斜視図である。
【図２】カップホルダーの使用状態を示す斜視図である。
【図３】図１に対応し、テーブルを閉じた状態の斜視図である。
【図４】図１に対応し、テーブルを開いた状態の斜視図である。
【図５】図１に対応し、テーブルを開き、一方のホルダー本体を収納位置から使用位置に回転した斜視図である。
【図６】図１に対応し、テーブルを開き、左右のホルダー本体を収納位置から使用位置に回転した斜視図である。
【図７】左右のホルダー本体の一部を省略したホルダー支持部の正面図である。
【図８】図７に対応し、一方のホルダー本体を収納位置に収納した状態の正面図である。
【図９】図７に対応し、左右のホルダー本体を収納位置に収納した状態の正面図である。
【図１０】ホルダー本体の平面図である。
【図１１】図８のＡ−Ａ線に沿う断面であり、図１１の（ａ）はロック直前の状態、（ｂ）はロック状態を示すものである。
【図１２】ホルダー本体とテーブルとの分解斜視図である。
【図１３】テーブル支持機構を説明するためのホルダー本体の平面図である。
【図１４】テーブル支持機構の分解斜視図である。
【図１５】組み立て状態のテーブル支持機構の動作状態を示す斜視図であり、同図の（ａ）はテーブルの開状態、（ｂ）はテーブルの閉状態を示すものである。
【発明を実施するための形態】
【００２５】
（カップホルダー10）
図２中、10は、カップホルダーを示し、カップホルダー10は、図示しないが、例えば自動車のシートバックに取り付けられ、テーブル40としても使用できるようにしている。
なお、カップホルダー10の取り付け位置として、自動車のシートバックを例示したが、これに限定されず、車内のリアコンソールやサイドの壁等に取り付けてもよい。
カップホルダー10は、図１、図２及び図１２に示すように、大別すると、次のパーツから構成されている。
なお、次の（１）〜（４）については後述する。
（１）ホルダー支持部20
（２）ホルダー本体30
（３）テーブル40
（４）テーブル支持機構50
なお、カップホルダー10のパーツは、上記した（１）〜（４）に限定されず、例えばテーブル40やテーブル支持機構50を省いてもよい。
【００２６】
（ホルダー支持部20）
ホルダー支持部20は、図示しないが、車体側の部材、例えばシートバックに固定されるものである。
なお、ホルダー支持部20の取り付け位置として、シートバックを例示したが、これに限定されず、リアコンソールやサイドの壁等に固定するようにしてもよい。
ホルダー支持部20は、板状に形成され、適度な剛性を有する樹脂で一体的に成形されている。なお、ホルダー支持部20の材質として、樹脂を例示したが、これに限定されず、金属或いは木製等としてもよい。
ホルダー支持部20は、図２及び図７に示すように、大別すると、次の各部を有する。
なお、次の（１）〜（８）については、後述する。
（１）収納部21
（２）軸受部22
（３）テーブル回動支持部23
（４）取付部24
（５）緩衝部材25
（６）弾性部材26
（７）ロック部27
（８）ストッパー部28
なお、ホルダー支持部20の各部は、上記した（１）〜（８）に限定されず、例えばテーブル40を省略した場合には、テーブル回動支持部23や弾性部材26が必要なくなり、又、テーブル40を使用する場合には、例えばテーブル40用の照明装置等を追加してもよい。
【００２７】
（収納部21）
収納部21は、図２において前方に向かったホルダー支持部20の前面に位置し、ホルダー本体30が収納位置において一部又は全部がはまり込むものであり、凹状に設けられている。
収納部21は、ホルダー本体30が左右に２個取り付けられることから、左右一対設けている。
【００２８】
（軸受部22）
軸受部22は、収納部21の下側に位置し、ホルダー本体30の図１を用いて後述する突出した回転軸111を回転可能に支持するものである。
【００２９】
（テーブル回動支持部23）
テーブル回動支持部23は、テーブル40との間に位置し、筒状に形成され、図１２に示すように、後述するテーブル支持機構50が内蔵され、当該テーブル支持機構50を介してテーブル40を回動可能に支持するものである。
【００３０】
（取付部24）
取付部24は、ホルダー支持部20の前面と背向した背面に位置し、当該背面から上方に向かってフック形に突出し、図示しないが、シートバックに固定する際に使用される。
【００３１】
（緩衝部材25）
緩衝部材25は、収納部21内に位置し、収納部21の底から突出し、ゴム等の弾性材料から形成されている。緩衝部材25は、ホルダー本体30を収納部21内に収納する際にホルダー本体30に弾性的に当接する。緩衝部材25により、ホルダー本体30の収納時の打音を減少でき、収納時のガタ付きを減少することできる。
なお、緩衝部材25を、ホルダー支持部20側の収納部21内に設けたが、これに限定されず、ホルダー本体30側に設けてもよい。
【００３２】
（弾性部材26）
弾性部材26は、図２において前方に向かったホルダー支持部20の前面に位置し、その周囲に複数個、例えば３個設けられ、ゴム等の弾性材料から形成されている。弾性部材26は、テーブル40を図３に示すように、閉じた際に、当該テーブル40の表面に弾性的に当接する。弾性部材26により、テーブル40を閉じて収納した時の打音を減少でき、収納時のガタ付きを減少することできる。
【００３３】
（ロック部27）
ロック部27は、図７に示すように、各収納部21の下側に位置し、ホルダー本体30が収納位置（閉状態）から使用位置（開状態）に回転した際に、当該使用位置（開状態）にホルダー本体30をロックするものである。ロック部27は、各収納部21の図７において左右方向の中央に位置し、同図において前方に向かって突出し、断面が略山形に形成され、両側にスリットを形成することで、撓み易くしている。ロック部27には、ホルダー本体30を使用位置に回転した際に、ホルダー本体30の図１を用いて後述する係止爪114に当接する。その後、ホルダー本体30を更に回転すると、係止爪114に押されてロック部27が撓み込むことで、当該係止爪114が断面が略山形に突出したロック部27を乗り越えることで、ホルダー本体30を使用位置にロックするようにしている。
【００３４】
（ストッパー部28）
ストッパー部28は、ロック部27の図７において左右両側に一対位置し、ホルダー本体30が収納位置（閉状態）から使用位置（開状態）に回転した際に、当該使用位置（開状態）にホルダー本体30を保持するものである。ストッパー部28には、ホルダー本体30の図１を用いて後述する当接部115に当接する。
【００３５】
（ホルダー本体30）
ホルダー本体30は、図２に示すように、ホルダー支持部20に回動可能に設けられ、容器Ｃの挿入用の開口部81が形成されており、図１を用いて後述する回転軸111を中心に回転し、ホルダー支持部20側の収納位置（図２の向かって左側）と、容器Ｃの保持が可能な使用位置（図２の向かって右側）とに回転可能なものである。ホルダー本体30は、図２の左右両側に一対設けられている。なお、ホルダー本体30を計２個設けたが、これに限定されず、単数でもよいし、或いは３個以上設けてもよい。
【００３６】
ホルダー本体30は、図１及び図１０に示すように、大別すると、次のパーツから構成されている。
なお、次の（１）〜（３）については後述する。
（１）ホルダー部80
（２）アーム90
（３）スプリング100（付勢手段）
【００３７】
（ホルダー部80）
ホルダー部80は、図２に示すように、ホルダー支持部20に回動可能に設けられ、容器Ｃの挿入用の開口部81が形成されており、図１を用いて後述する回転軸111により、ホルダー支持部20側の収納位置（図２の向かって左側）と、容器Ｃの保持が可能な使用位置（図２の向かって右側）とに回転可能なものである。
ホルダー部80は、図１に示すように、大別すると、次のパーツから構成される。
なお、次の（１）及び（２）については、後述する。
（１）上カバー110
（２）下カバー120
【００３８】
（アーム90）
アーム90は、図１に示すように、開口部81の側面部に設けられた、ホルダー部80の図１を用いて後述する旋回軸122に一端が回転可能に軸止され、旋回軸122を中心に回転することで、開口部81の内径を拡縮可能なものである。
アーム90は、略Ｃ字形に湾曲し、適度な剛性を有する樹脂で一体的に成形されている。なお、アーム90の材質として、樹脂を例示したが、これに限定されず、金属或いは木製等としてもよい。
アーム90の一端部には、旋回軸122が通る、貫通状の軸穴91が設けられている。
【００３９】
（スプリング100）
スプリング100は、アーム90を回転方向、すなわち開口部81の内径を縮径する方向に付勢するものであり、付勢手段を構成する。
なお、付勢手段として、スプリング100を例示したが、これに限定されず、板バネやゼンマイ等を使用してもよい。
スプリング100は、アーム90の軸穴91に位置し、その中心孔にホルダー部80の図１を用いて後述する旋回軸122が通り、スプリング100が巻き締まるバネ力を利用して、開口部81の内径を縮径する方向にアーム90を付勢している。
【００４０】
（テーブル40）
テーブル40は、図２に示すように、容器Ｃの底部を支持可能な容器Ｃの支持面42を備えたものであり、前述したテーブル回動支持部23を介してホルダー支持部20に回動可能に設けられている。
テーブル40は、板状で、ホルダー支持部20の周囲の外形と略等しい外形に形成されている。具体的には、テーブル40は、厚み方向に上下に二分割して形成され、各分割部は、適度な剛性を有する樹脂で一体的に成形されている。なお、テーブル40の材質として、樹脂を例示したが、これに限定されず、金属或いは木製等としてもよい。
【００４１】
テーブル40には、図２及び図１２に示すように、次の各部を備える。
（１）軸支持部41
軸支持部41は、図１２に示すように、ホルダー支持部20との間に位置し、当該ホルダー支持部20の筒状のテーブル回動支持部23に内蔵されるテーブル支持機構50の後述するテーブル軸300を回転不能に支持するためのものであり、同図において左右に離れて一対設けられている。
【００４２】
（２）支持面42
支持面42は、図２に示すように下方に開いた状態の上側の表面に位置し、凹状に形成されている。
【００４３】
（テーブル支持機構50）
テーブル支持機構50は、図１２〜図１５に示すように、ホルダー支持部20の筒状のテーブル回動支持部23に内蔵され、ホルダー支持部20に対してテーブル40を回動可能に支持するものである。テーブル支持機構50には、カム機構を内蔵し、図３に示すように、ホルダー支持部20とテーブル40とが重なり合った閉状態と、当該閉状態から、図４に示すように、下方に開いた開状態との２位置にロックするものである。なお、後述するバネ400の付勢力を利用し、テーブル40が下方に開く際の力を補助するとともに、最大開放位置に確実にロックされ、最大開放位置から不用意に閉じないようにしてもよい。
【００４４】
テーブル支持機構50は、大別すると、次のパーツを備える。
なお、次の（１）〜（３）については、後述する。
（１）カム200
（２）テーブル軸300
（３）バネ400
【００４５】
（上カバー110及び下カバー120）
上カバー110と下カバー120とは、図１に示すように、ホルダー部80の厚み方向に対向し、周囲の外形を略等しく形成している。上カバー110と下カバー120との間に、アーム90及びスプリング100とを装着している。
上カバー110と下カバー120とは、適度な剛性を有する樹脂で一体的に成形されている。なお、上カバー110と下カバー120との材質として、樹脂を例示したが、これに限定されず、金属或いは木製等としてもよく、又、上カバー110と下カバー120との材質を異ならせてもよい。
【００４６】
（上カバー110の構造）
上カバー110には、大別すると、図１及び図１０に示すように、次の各部を有する。
（１）回転軸111
回転軸111は、図１に示すように、上カバー110の一端部に位置し、同図において左右両側に一対、軸状に突出する。回転軸111は、ホルダー本体30の図１に示す軸受部22に回転可能にはまり込む。
（２）湾曲部112
湾曲部112は、図１に示すように、回転軸111と反対側の他端部に位置し、略円弧状に湾曲して延びている。湾曲部112は、アーム90と対向し、ホルダー部80の開口部81を構成する。
【００４７】
（３）軸固定部113
軸固定部113は、図１に示すように、湾曲部112と対向した側部に位置し、上下に貫通した穴状に設けられている。軸固定部113は、下カバー120の後述する旋回軸122が臨む。
（４）係止爪114
係止爪114は、図１及び図１０に示すように、回転軸111と同じ側の一端部の端面に位置し、図１において左右の幅方向の中央から前方に向かって爪状に１個、突出する。係止爪114は、図４〜図６に示すように、ホルダー本体30を収納位置（閉状態）から使用位置（開状態）に回転した際に、ホルダー支持部20のロック部27に係合して、ホルダー本体30を使用位置にロックする。
【００４８】
（５）当接部115
当接部115は、図１及び図１０に示すように、係止爪114の左右両側に位置し、前方に向かって段状に一対突出する。当接部115は、使用位置（開状態）に回転した際に、ホルダー支持部20の一対のストッパー部28にそれぞれ当接して、ホルダー本体30を使用位置（開状態）に保持する。
【００４９】
（下カバー120の構造）
下カバー120には、大別すると、図１に示すように、次の各部を有する。
（１）湾曲部121
湾曲部121は、上カバー110の湾曲部112の図１において下側に位置し、略円弧状に湾曲して延びている。
【００５０】
（２）旋回軸122
旋回軸122は、上カバー110の軸固定部113の図１において下側に位置し、当該軸固定部113に向かって上方に突出する。旋回軸122は、断面が歯車状に形成されている。旋回軸122は、アーム90の軸穴91、スプリング100の中心孔を通って、上カバー110の軸固定部113に臨む。軸固定部113からは、旋回軸122にネジ140をねじ込んで固定し、軸固定部113の開放面はキャップ130により塞がれる。
【００５１】
（嵌合部60）
嵌合部60は、ホルダー本体30の収納位置において、ホルダー支持部20とアーム90との間に位置し、互いに嵌合するものである。嵌合部60は、アーム90の旋回軸122に対してホルダー部80の回転軸111側に設けられている。
嵌合部60は、次の各部から構成されている。なお、次の（１）及び（２）については後述する。
（１）突部61
（２）受入部62
【００５２】
（突部61）
突部61は、図１及び図１０に示すように、アーム90側に位置する。突部61は、軸穴91に隣接し、ホルダー部80の開口部81の外側に位置するアーム90の外側面から半円形に突出する。突部61は、アーム90がスプリング100により開口部81の内径を縮径する方向に付勢されていることから、突出する方向に付勢される。このため、アーム90を開口部81の内径を縮径する方向に付勢するスプリング100を利用して、突部61を弾性的に突出させているため、突部61を弾性的に突出させるための他の付勢手段が不要であり、部品点数を減少できる利点がある。
【００５３】
（受入部62）
受入部62は、図１１に示すように、ホルダー支持部20側に位置する。受入部62は、ホルダー本体30の収納位置に向かって回転した際に、アーム90の突部61と当接する。受入部62は、アーム90の突部61に向かって突出した段状に形成されている。すなわち、アーム90の突部61に、初期に当接する箇所が、突部61に向かって略山形に突出する。
なお、突部61をアーム90側に設け、受入部62をホルダー支持部20側に設けたが、これに限定されず、逆に設けてもよい。
【００５４】
また、嵌合部60を、アーム90の旋回軸122に対してホルダー部80の回転軸111側に設けたが、これに限定されず、図示しないが、旋回軸122に対してアーム90の自由端側に設けてもよい。嵌合部60を、旋回軸122に対してアーム90の自由端側に設けた場合にも、アーム90を開口部81の内径を縮径する方向に付勢するスプリング100の付勢力を利用して、弾性的に嵌合させることが可能である。
【００５５】
（ロック装置70）
ロック装置70は、ホルダー支持部20とテーブル40との間に位置し、図３に示すように、テーブル40をホルダー支持部20に向かって上方に回動し、ホルダー支持部20に重なり合うように閉じた状態にロックするためのものである。
【００５６】
ロック装置70は、図２に示すように、大別すると、次の各部を有する。
（１）ロック爪71
ロック爪71は、ホルダー支持部20側に位置する。ロック爪71は、ホルダー支持部20の図２において前方に向かった前面からフック状に突出し、上下方向に揺動する。
（２）係止部72
係止部72は、テーブル40側に位置する。係止部72は、テーブル40の図２において上方に向かった表面に位置し、ロック爪71が引っ掛かる穴状に形成されている。
【００５７】
（３）解除ボタン73
解除ボタン73は、係止部72に隣接し、テーブル40側に位置する。解除ボタン73は、テーブル40の図３において前方に向かった背面側に位置し、係止部72に引っ掛かったロック爪71を、プッシュ操作により係脱させるものである。
【００５８】
（カム200）
カム200は、図１２〜図１５に示すように、テーブル軸300の後述する係止爪330と係合し、図３に示すように、ホルダー支持部20とテーブル40とが重なり合った閉状態と、当該閉状態から、図４に示すように、下方に開いた開状態との２位置にロックするものである。
カム200は、図１４及び図１５に示すように、バネ400をはさんで左右一対設けられている。一対のカム200は、バネ400とともに、ホルダー支持部20の筒状のテーブル回動支持部23内に収納され、テーブル回動支持部23内に回転不能で、且つ、バネ400のたわみを利用して、テーブル軸300の軸方向に移動可能に保持される。
【００５９】
各カム200は、図１４及び図１５に示すように、次の各部を備える。
（１）カム本体210
カム本体210は、図１４及び図１５に示すように、バネ400と反対側の面が閉じた円筒形に形成されている。カム本体210の閉じた面には、複数、例えば１２０度間隔で３個の係止溝211と、隣接する係止溝211の間に位置し、複数、例えば同数の３個の傾斜部212とが設けられている。各係止溝211には、テーブル軸300の後述する複数の係止爪330の１個がはまり込む。各傾斜部212は、係止爪330がはまり込む係止溝211の底から隣接する係止溝211の頂点に向かって上り傾斜し、係止爪330が摺接する。
【００６０】
（２）突軸220
突軸220は、図１４に示すように、カム本体210の閉じた面の中心から外向きに円筒形に突出し、突軸220の周囲に係止溝211と傾斜部212とが環状に形成されている。突軸220は、テーブル軸300の後述する軸穴320に回転可能にはまり込む。
（３）ボス230
ボス230は、筒形のカム本体210の筒内からバネ400に向かって軸状に延びる。ボス230は、スプリング状のバネ400の中心部に挿入される。
【００６１】
（テーブル軸300）
テーブル軸300は、図１４及び図１５に示すように、カム200に係合する後述する係止爪330を有し、テーブル40の軸支持部41に対して回転不能に支持される。テーブル軸300は、一対のカム200の外側に同じく一対設けられている。
テーブル軸300は、次の各部を備える。
（１）連結軸310
連結軸310は、テーブル軸300の外側の端部から突出し、非円形、例えば板状に形成されている。連結軸310は、テーブル軸300がカム200及びバネ400とともに、ホルダー支持部20の筒状のテーブル回動支持部23内に収納された状態において、テーブル回動支持部23から突出し、テーブル40の軸支持部41にはまり込み、当該軸支持部41に回転不能に支持される。
【００６２】
（２）軸穴320
軸穴320は、図１４に示すように、カム200の突軸220が回転可能にはまり込む平面円形に形成されている。
（３）係止爪330
係止爪330は、カム200の係止溝211の一つにはまり込むものであり、爪状に形成され、軸穴320の周囲に複数、例えば１２０度間隔で３個形成されている。
【００６３】
（バネ400）
バネ400は、一対のカム200の間に位置し、テーブル軸300の軸方向へのカム200の移動を許容するためのものである。
バネ400は、スプリング状であり、その中心部にカム200のボス230が挿入される。
【００６４】
（カップホルダー10の使用方法）
上記した構成を備えたカップホルダー10の使用方法について説明する。
まず、図３に示すように、テーブル40が閉じた状態から使用するには、解除ボタン73をプッシュ操作し、テーブル40を図４に示すように、手で下方に向かって開けばよい。
【００６５】
（ホルダー本体30の使用）
その後、ホルダー本体30を使用する場合には、収納位置から使用位置に向かって、下方に回転すればよい。
ホルダー本体30の収納位置においては、アーム90の突部61が、図１１（ｂ）に示すように、ホルダー支持部20の受入部62の略山形の突出した箇所の同図において下側に位置し、ロックされている。
【００６６】
ホルダー本体30を収納位置から使用位置に向かって回転すると、図１１においてはアーム90の突部61が上昇する。
アーム90の突部61が上昇すると、受入部62の略山形の突出した箇所に押圧され、このため、スプリング100の付勢力に抗して、アーム90が開口部81の内径を拡径する方向に回転する。このとき、スプリング100のバネ力が蓄積される。
【００６７】
アーム90の突部61は、アーム90が開口部81の内径を拡径する方向に回転することで、受入部62から離隔する方向に移動する。アーム90の突部61が受入部62から離隔する方向に移動することで、アーム90の突部61が受入部62の略山形の突出した箇所を乗り越える。
アーム90の突部61が受入部62の略山形の突出した箇所を乗り越えると、ロック状態が解除される。
このため、ホルダー本体30を軽い力で使用位置に向かって回転することで、ホルダー本体30の使用が可能となる。
【００６８】
また、アーム90の突部61が受入部62の略山形の突出した箇所を乗り越えると、スプリング100の蓄積したバネ力により、アーム90が開口部81の内径を縮径する方向に回転し、このとき、突部61が再度、突出する。
使用位置に回転したホルダー本体30の開口部81に、容器Ｃを挿入することで保持できる。
すなわち、容器Ｃを開口部81に挿入すると、容器Ｃの外周により、アーム90の内周面が押圧され、スプリング100の付勢力に抗して、アーム90が開口部81の内径を拡径する方向に回転する。このため、スプリング100のバネ力が復元力により、アーム90が開口部81の内径を縮径する方向に回転しようとすることで、開口部81内に容器Ｃが弾性的に保持される。
【００６９】
（ホルダー本体30の収納）
一方、ホルダー本体30の使用後、収納する場合には、ホルダー本体30をホルダー支持部20の収納部21に向かって上方に回転すればよい。
ホルダー本体30を使用位置から収納位置に向かって回転すると、図１１においてはアーム90の突部61が下降する。
【００７０】
アーム90の突部61が下降すると、受入部62の略山形の突出した箇所に押圧され、このため、スプリング100の付勢力に抗して、アーム90が開口部81の内径を拡径する方向に旋回する。このとき、スプリング100のバネ力が蓄積される。
アーム90の突部61は、アーム90が開口部81の内径を拡径する方向に回転することで、受入部62から離隔する方向に移動する。アーム90の突部61が受入部62から離隔する方向に移動することで、アーム90の突部61が受入部62の略山形の突出した箇所を乗り越える。
【００７１】
アーム90の突部61が受入部62の略山形の突出した箇所を乗り越えると、スプリング100の蓄積したバネ力により、アーム90が開口部81の内径を縮径する方向に回転し、このとき、突部61が再度、弾性的に突出する。このため、図１１（ｂ）に示すように、アーム90の突部61が受入部62に向かって弾性的に突出した状態で、受入部62の略山形の突出した箇所の下側に位置することで、ホルダー本体30がホルダー支持部20の収納部21にはまり込んだ収納位置にロックされる。
すなわち、アーム90を開口部81の内径を縮径する方向に付勢するスプリング100を使用して、アーム90の突部61を弾性的に突出させることで、突部61を弾性的に突出させるための他の付勢手段が不要であり、部品点数を減少できるという利点がある。
【符号の説明】
【００７２】
10  カップホルダー        20  ホルダー支持部
21  収納部                22  軸受部
23  テーブル回動支持部    24  取付部
25  緩衝部材              26  弾性部材
27  ロック部              28  ストッパ部
30  ホルダー本体          40  テーブル
41  軸支持部              42  支持面
50  テーブル支持機構      60  嵌合部
61  突部                  62  受入部
70  ロック装置            71  ロック爪
72  係止部                73  解除ボタン
80  ホルダー部            81  開口部
90  アーム                91  軸穴
100  スプリング
110  上カバー            111  回転軸
112  湾曲部              113  軸固定部
114  係合爪              115  当接部
120  下カバー
121  湾曲部              122  旋回軸
130  キャップ            140  ネジ
200  カム                210  カム本体
211  係止溝              212  傾斜部
220  突軸                230  ボス
300  テーブル軸          310  連結軸
320  軸穴                330  係止爪
400  バネ
【図１】
0006469607.tif 000002
【図２】
0006469607.tif 000003
【図３】
0006469607.tif 000004
【図４】
0006469607.tif 000005
【図５】
0006469607.tif 000006
【図６】
0006469607.tif 000007
【図７】
0006469607.tif 000008
【図８】
0006469607.tif 000009
【図９】
0006469607.tif 000010
【図１０】
0006469607.tif 000011
【図１１】
0006469607.tif 000012
【図１２】
0006469607.tif 000013
【図１３】
0006469607.tif 000014
【図１４】
0006469607.tif 000015
【図１５】
0006469607.tif 000016